(57)【要約】【課題】２個以上の収納部を有し、食べ物と飲み物などの形状の異なる物品を収納して、安定に持ち運ぶことができ、飲食を終えたのちは、容器類を容易に分別して安全に廃棄することができる手提げ袋及びその製造方法を提供する。【解決手段】手提げ部と２個以上の収納部を有するプラスチックフィルム製の手提げ袋であって、袋底部に逆Ｖ字形の折り込みを有し、両側縁において溶着され、収納部の境界において袋の下縁から上方に表側フィルムから裏側フィルムまで溶着する平行な２本の溶着線を設け、該溶着線の先端が逆Ｖ字形の折り込みの上縁を超える手提げ袋、及び、チューブ状のプラスチックフィルムの両側縁にＶ字形の折り込みを形成する工程、一方のＶ字形の折り込みの先端を切り開く工程、指穴を打ち抜く工程、平行な２本の溶着線を形成する工程、ミシン目を開ける工程、及び、手提げ袋の幅ごとに溶断する工程を有する手提げ袋の製造方法。【選択図】図１
2007302331.tif 000002
【特許請求の範囲】
【請求項１】
手提げ部と２個以上の収納部を有するプラスチックフィルム製の手提げ袋であって、袋底部に逆Ｖ字形の折り込みを有し、両側縁において溶着され、収納部の境界において袋の下縁から上方に表側フィルムから裏側フィルムまで溶着する平行な２本の溶着線を設け、該溶着線の先端が逆Ｖ字形の折り込みの上縁を超えることを特徴とする手提げ袋。
【請求項２】
手提げ袋の上縁から下縁まで、平行な２本の溶着線の間を通過するミシン目を有する請求項１記載の手提げ袋。
【請求項３】
手提げ部のフィルムが袋の内側に折り返され、異なる収納部ごとに手提げ部の４枚のフィルムを貫通する指穴を有する請求項１記載の手提げ袋。
【請求項４】
長尺のチューブ状のプラスチックフィルムを連続的に移送しつつ両側縁にＶ字形の折り込みを形成する工程、一方のＶ字形の折り込みの先端を切り開く工程、切り開かれたＶ字形の折り込みに指穴を打ち抜く工程、他方のＶ字形の折り込みに該折り込みを超えてプラスチックフィルムの内側に達する平行な２本の溶着線を形成する工程、該平行な２本の溶着線の間を通過しプラスチックフィルムの両側縁を結ぶミシン目を開ける工程、及び、手提げ袋の幅ごとに溶断又は溶着切断する工程を有することを特徴とする手提げ袋の製造方法。
【発明の詳細な説明】
【技術分野】
【０００１】
本発明は、手提げ袋及びその製造方法に関する。さらに詳しくは、本発明は、２個以上の収納部を有し、食べ物と飲み物などの形状の異なる物品を収納して、安定に持ち運ぶことができ、飲食を終えたのちは、容器類を容易に分別して安全に廃棄することができる手提げ袋及びその製造方法に関する。
【背景技術】
【０００２】
サンドイッチなどの食べ物とコーヒーなどの飲み物を同時に購入して持ち帰ることは、日常的によく行われる行為である。このようなときに、食べ物と飲み物を同じ袋に収納すると不安定になりやすい。飲み物が紙コップやプラスチックコップなどに入れられていると、コップに蓋が被せられていても、コップが袋の中で倒れて飲み物が漏れ出す場合がある。
コップに入れた飲み物を安定に持ち運ぶために、コップの底を紙製の台座に嵌めこんで袋に収納することが行われている。しかし、コップを収納した袋は垂直にして持ち運ぶ必要があり、食べ物を収納した袋が加わると持ち運びにくく、他に手荷物があるときなどは、誤って袋を取り落としかねない。
また、食べ物が紙トレーなどに載せられ、飲み物がプラスチックコップなどに入れられている場合には、飲食後には容器を分別して廃棄する必要があるが、手間を惜しんで分別せずにゴミ箱に投げ入れることも起こりがちである。
【発明の開示】
【発明が解決しようとする課題】
【０００３】
本発明は、２個以上の収納部を有し、食べ物と飲み物などの形状の異なる物品を収納して、安定に持ち運ぶことができ、飲食を終えたのちは、容器類を容易に分別して安全に廃棄することができる手提げ袋及びその製造方法を提供することを目的としてなされたものである。
【課題を解決するための手段】
【０００４】
本発明者は、上記の課題を解決すべく鋭意研究を重ねた結果、手提げ部と収納部とからなり、底部に逆Ｖ字形の折り込みを有し、両側縁において溶着されてなる手提げ袋において、収納部を収納する物品に対応する２個以上の収納部に分割し、分割された収納部の境界において袋の下縁から上方に表側フィルムから裏側フィルムまで溶着する平行な２本の溶着線を設け、該溶着線を先端が逆Ｖ字形の折り込みの上縁を超えて延設することにより、該溶着線によって異なる物品に対応する形状の収納空間が形成され、飲み物を入れたコップでも安定に提げて持ち運ぶことができ、飲食後などには、平行な２本の溶着線の間で切断することにより、手提げ袋は複数個の袋となり、不用となった容器類を簡単に分別して廃棄し得ることを見いだし、この知見に基づいて本発明を完成するに至った。
すなわち、本発明は、
（１）手提げ部と２個以上の収納部を有するプラスチックフィルム製の手提げ袋であって、袋底部に逆Ｖ字形の折り込みを有し、両側縁において溶着され、収納部の境界において袋の下縁から上方に表側フィルムから裏側フィルムまで溶着する平行な２本の溶着線を設け、該溶着線の先端が逆Ｖ字形の折り込みの上縁を超えることを特徴とする手提げ袋、
（２）手提げ袋の上縁から下縁まで、平行な２本の溶着線の間を通過するミシン目を有する(１)記載の手提げ袋、
（３）手提げ部のフィルムが袋の内側に折り返され、異なる収納部ごとに手提げ部の４枚のフィルムを貫通する指穴を有する(１)記載の手提げ袋、及び、
（４）長尺のチューブ状のプラスチックフィルムを連続的に移送しつつ両側縁にＶ字形の折り込みを形成する工程、一方のＶ字形の折り込みの先端を切り開く工程、切り開かれたＶ字形の折り込みに指穴を打ち抜く工程、他方のＶ字形の折り込みに該折り込みを超えてプラスチックフィルムの内側に達する平行な２本の溶着線を形成する工程、該平行な２本の溶着線の間を通過しプラスチックフィルムの両側縁を結ぶミシン目を開ける工程、及び、手提げ袋の幅ごとに溶断又は溶着切断する工程を有することを特徴とする手提げ袋の製造方法、
を提供するものである。
【発明の効果】
【０００５】
本発明の手提げ袋は、底部に逆Ｖ字形の折り込みを有し、袋の下縁から上方に逆Ｖ字形の折り込みの上縁を超える平行な２本の溶着線により２個以上の収納部が形成されるので、食べ物と飲み物などの形状の異なる物品を収納して、安定に持ち運ぶことができる。また、収納された２種以上の不用物を廃棄するときは、平行な２本の溶着線の間で切断することにより、手提げ袋はそれぞれの不用物を収納した２個以上の袋に分割されるので、不用物を容易に分別して廃棄することができる。本発明の手提げ袋の製造方法によれば、長尺のチューブ状のプラスチックフィルムから、本発明の手提げ袋を連続的かつ効率的に製造することができる。
【発明を実施するための最良の形態】
【０００６】
本発明の手提げ袋は、手提げ部と２個以上の収納部を有するプラスチックフィルム製の手提げ袋であって、袋底部に逆Ｖ字形の折り込みを有し、両側縁において溶着され、収納部の境界において袋の下縁から上方に表側フィルムから裏側フィルムまで溶着する平行な２本の溶着線を設け、該溶着線の先端が逆Ｖ字形の折り込みの上縁を超える手提げ袋である。
図１は、本発明の手提げ袋の一態様の側面図及びＡ−Ａ線切断部端面図である。本態様の手提げ袋は、手提げ部１９と、第一の収納部２０と、第二の収納部２１とを有する。袋底部に逆Ｖ字形の折り込み２２を有し、両側縁５と５'において溶着されている。第一の収納部と第二の収納部の境界において、袋の下縁から上方に表側フィルムから裏側フィルムまで溶着する平行な２本の溶着線７が設けられている。平行な２本の溶着線の先端は、逆Ｖ字形の折り込みの上縁８を超えている。
本発明の手提げ袋において、収納した飲み物と食べ物などを費消したのち、不用となった容器などを第一の収納部と第二の収納部に分けて戻し、手提げ袋の下縁において平行な２本の溶着線を左右に引っ張ると、手提げ袋は平行な２本の溶着線の間で切れ、その切れ目はさらに上方へ移っていき、手提げ袋を不用品が収納された２個の袋に分割することができる。２種の不用品が分別して廃棄すべきものである場合、不用品が収納された２個の袋を用いて、容易に分別して廃棄することができる。
【０００７】
本発明の手提げ袋においては、平行な２本の溶着線の先端と逆Ｖ字形の折り込みの上縁との距離は、２０〜６０ｍｍであることが好ましく、３０〜５０ｍｍであることがより好ましい。平行な２本の溶着線の先端と逆Ｖ字形の折り込みの上縁との距離が２０ｍｍ未満であると、物品の収納に十分な収納部が形成されないおそれがある。平行な２本の溶着線の先端と逆Ｖ字形の折り込みの上縁との距離が６０ｍｍを超えると、物品の出し入れが不自由になるおそれがある。平行な２本の溶着線の間の溶着されていない部分の幅は、１〜３０ｍｍであることが好ましく、２〜２０ｍｍであることがより好ましい。平行な２本の溶着線の間の溶着されていない部分の幅が１ｍｍ未満であると、平行な２本の溶着線の間にミシン目を形成することが困難となるおそれがある。平行な２本の溶着線の間の溶着されていない部分の幅が３０ｍｍを超えると、第一の収納部と第二の収納部の一体感が薄れて、一つの手提げ袋として機能しにくくなるおそれがある。
本発明において、平行な２本の溶着線は、幾何学的に完全に平行である必要はなく、２本の溶着線の間に角度をもたせることができる。平行な２本の溶着線が幾何学的に完全に平行でない場合、２本の溶着線の間の角度は、３０度以下であることが好ましく、１５度以下であることがより好ましい。平行な２本の溶着線は、図１に示されるように、先端をつないで逆Ｕ字形などの溶着線とすることができる。
【０００８】
図２は、図１に示す手提げ袋に物品を収納した状態を示す平面図である。本図においては、逆Ｖ字形の折り込みと側縁５と平行な２本の溶着線７の一方により形成される第一の収納部２０に飲み物を入れたコップが収納され、逆Ｖ字形の折り込みと側縁５'と平行な２本の溶着線７の他方により形成される第二の収納部２１にホットドッグが収納されいる。第一の収納部には、平行な２本の溶着線の長さに等しい深さを有する筒状部が形成されているので、飲み物を入れたコップを安定して略垂直に保持することができ、手提げ袋の使用者は、片手で飲み物を入れたコップとホットドッグを楽々と持ち運ぶことができる。
本発明の手提げ袋においては、異なる収納部ごとに手提げ部に指穴を設けることができる。図１に示す態様の手提げ袋においては、第一の収納部２０に対応して手提げ部に第一の指穴２３が設けられ、第二の収納部２１に対応して手提げ部に第二の指穴４が設けられている。第一の収納部に飲み物を収納し、第二の収納部に食べ物を収納した状態で、手提げ袋の重心が第二の指穴の下方にある場合には、第二の指穴で手提げ袋を把持することにより、飲み物を略垂直に保つことができる。しかし、食べ物に比べて飲み物の方が重い場合には、第一の指穴に人差指を通し、第二の指穴に中指、薬指、小指を通して手提げ袋を把持することにより、飲み物を略垂直に保つことができる。
【０００９】
本発明の手提げ袋は、手提げ袋の上縁から下縁まで、平行な２本の溶着線の間を通過するミシン目を設けることが好ましい。図１に示す態様の手提げ袋においては、手提げ袋の上縁２４から手提げ袋の下縁２５まで、平行な２本の溶着線７の間を通過するミシン目３が設けられている。平行な２本の溶着線７の間を通過するミシン目を設けることにより、第一の収納部と第二の収納部の切り離しが容易になる。飲食を終了したのち、容器類などの不用物を第一の収納部と第二の収納部にそれぞれ収納し、ミシン目で切り離すことにより、第一の収納部と第二の収納部を容易に別々の袋とすることができる。
図３は、ミシン目切り離し操作の説明図である。第一の収納部２０と第二の収納部２１をミシン目３で切り離すことにより、第一の収納部と第二の収納部を別々の袋とすることができる。例えば、手提げ袋の第一の収納部に缶ビールを収納し、第二の収納部に焼き鳥を収納して花見に出かけた場合、宴終了後に第一の収納部と第二の収納部をミシン目で切り離し、空き缶係が空き缶の入った第一の収納部を集めて缶置場に行き、可燃ごみ係が串の入った第二の収納部を集めて可燃ごみ置場に行くことにより、効率的に不用物を分別して廃棄することができる。
【００１０】
本発明の手提げ袋は、手提げ部のフィルムを袋の内側に折り返し、異なる収納部ごとに手提げ部の４枚のフィルムを貫通する指穴を設けることが好ましい。図１に示す態様の手提げ袋においては、手提げ部のフィルムが内側に折り返され、内側のフィルム６が形成されている。また、手提げ部の外側のフィルム２枚と、内側のフィルム２枚の合計４枚のフィルムを貫通する第一の指穴２３と、第二の指穴４が設けられている。
図４は、本発明の手提げ袋の使用状態の説明図である。図４(ａ)に示す状態においては、内側のフィルム６が内側に折り返された状態である。この状態では、手提げ部のフィルム４枚を把持して手提げ袋を提げるので、安定して手提げ袋を持ち運びすることができる。図４(ｂ)に示す状態においては、内側のフィルム６が外側に引き出され、手提げ袋は、第一の指穴、第二の指穴ともに上側の指穴により把持され、第一の収納部、第二の収納部ともに深さが深くなり、背の高い物品を収納して持ち運ぶことができる。例えば、缶ビールを販売するときは、図４(ａ)に示す状態で、第一の収納部に缶ビールを収納し、ワインを販売するときは、内側のフィルム６を外側に引き出して図４(ｂ)に示す状態とし、第一の収納部にワインの瓶を収納することができる。
【００１１】
本発明の手提げ袋の製造方法は、長尺のチューブ状のプラスチックフィルムを連続的に移送しつつ両側縁にＶ字形の折り込みを形成する工程、一方のＶ字形の折り込みの先端を切り開く工程、切り開かれたＶ字形の折り込みに指穴を打ち抜く工程、他方のＶ字形の折り込みに該折り込みを超えてプラスチックフィルムの内側に達する平行な２本の溶着線を形成する工程、該平行な２本の溶着線の間を通過しプラスチックフィルムの両側縁を結ぶミシン目を開ける工程、及び、手提げ袋の幅ごとに溶断又は溶着切断する工程を有する。
図５は、本発明の手提げ袋の製造方法の一態様の工程系統図であり、図５(ａ)は平面図、図５(ｂ)は側面図である。長尺のチューブ状のプラスチックフィルムを連続的に移送しつつ、図示しないガゼッターにより両側縁にＶ字形の折り込みを形成する。図６は、長尺のチューブ状のプラスチックフィルムの切断部端面図である。図６(ａ)に示す状態においては、プラスチックフィルム２６は両側縁にＶ字形の折り込み１を有する。図５に示す工程に送り込まれた両側縁にＶ字形の折り込みを有するプラスチックフィルム２６は、切り刃９により一方のＶ字形の折り込みの先端を切り開き、図６(ｂ)に示すように開口部２を形成する。Ｖ字形の折り込みが切り開かれ、開口部が形成された側の重なり合う４枚のフィルムに、打ち抜き装置１２と１１により第一の指穴２３と第二の指穴４を打ち抜く。切り開かれていないＶ字形の折り込みには、溶着装置１３により、該Ｖ字形の折り込みを超えてプラスチックフィルムの内側に達する平行な２本の溶着線７を形成する。図７は、溶着装置の溶着刃の形状の説明図である。図７(ａ)に示す溶着刃は、平行な２本の線分である。図７(ｂ)に示す溶着刃は、平行な２本の溶着線の先端が曲線でつながって逆Ｕ字形となっている。
【００１２】
図５に示す工程においては、ミシン目加工装置１５により、平行な２本の溶着線の間を通過しプラスチックフィルムの両側縁を結ぶミシン目３を開ける。図８は、ミシン目加工装置に取り付けるミシン目刃の２例の模式的側面図及びミシン目刃によって開けられたミシン目の説明図である。ミシン目刃として、加熱されたミシン目刃を用いて熱的にミシン目を開けることができ、あるいは、常温のミシン目刃を用いて機械的にミシン目を開けることもできる。加熱されたミシン目刃を用いて熱的にミシン目を開けると、４枚又は２枚のフィルムがミシン目において溶着されるので、手提げ袋として丈夫な構造となり、ミシン目での切り離しが容易になり、切り離された個々の袋は、一方の側縁が下縁から上縁までミシン目において溶着された構造となる。常温のミシン目刃を用いて機械的にミシン目を開けると、４枚又は２枚のフィルムは溶着されず、平行な２本の溶着線の先端より上部は、第一の収納部と第二の収納部が連続した空間となるので、手提げ袋への物品の収納を容易に行うことができる。
【００１３】
本発明方法においては、一方のＶ字形の折り込みの先端を切り開く工程、切り開かれたＶ字形の折り込みに指穴を打ち抜く工程、他方のＶ字形の折り込みに該折り込みを超えてプラスチックフィルムの内側に達する平行な２本の溶着線を形成する工程、及び、該平行な２本の溶着線の間を通過しプラスチックフィルムの両側縁を結ぶミシン目を開ける工程は、任意の順序で実施することができる。例えば、一方のＶ字形の折り込みに指穴を打ち抜いたのち、該Ｖ字形の折り込みの先端を切り開くことができ、また、プラスチックフィルムの両側縁を結ぶミシン目を開けたのち、該ミシン目を挟む平行な２本の溶着線を形成
することができる。
図５に示す態様の工程においては、プラスチックフィルムは主軸送りロール１６と補助送りロール１４により移送される。各工程を経由した長尺のプラスチックフィルムは、溶着溶断装置１７により手提げ袋の幅ごとに溶着溶断して、手提げ袋の両側縁に溶着線１０を形成して半製品とする。本発明方法においては、溶着溶断の１工程の代わりに、熱的な溶着と機械的な切断の２工程に分けることもできる。手提げ袋の幅ごとに溶着溶断された半製品２７は、半製品移送コンベア１８により移送して積み重ねる。
図９は、半製品の両側縁上部切断工程の説明図である。積み重ねられた半製品２７の両側縁上部を切断刃２８により切断し、図１に示す態様の手提げ袋の完成品とする。溶着されている両側縁の上部を切断して開放することにより、手提げ袋の開口部を大きくして物品の出し入れを容易にするとともに、内側のフィルム６の外側への引き出しを可能にすることができる。切断刃２８の形状は、略水平の部分２９が、内側から外側にかけてわずかに上昇する形状であることが好ましい。手提げ袋の両側縁の切断部の略水平の部分が、袋の内側から外側にかけてわずかに上向くことにより、この部分からの裂けの発生を防止することができる。
【００１４】
図１０は、本発明の手提げ袋の他の態様の側面図である。本態様の手提げ袋は、図１に示す態様の手提げ袋からミシン目を除いた構造を有している。使用後に、２種の不用物を分別する必要がない場合には、本態様の手提げ袋を好適に用いることができる。
図１１は、本発明の手提げ袋の他の態様の側面図である。本態様の手提げ袋は、第一の収納部２０、第二の収納部２１及び第三の収納部３０の３個の収納部を有する。第一の収納部と第二の収納部の境界及び第二の収納部と第三の収納部の境界には、それぞれ袋の下縁から上方に向かい、先端が逆Ｖ字形の折り込みの上縁８を超える２組の平行な２本の溶着線７、７'が設けられ、逆Ｖ字形の折り込みの部分では４枚のフィルムが溶着され、逆Ｖ字形の折り込みの上縁を超える部分では表裏２枚のフィルムが溶着されている。手提げ袋の上縁から下縁まで、２組の平行な２本の溶着線７、７'の間を通過する２本のミシン目３、３'が開けられている。手提げ袋の両側縁５、５'は、溶着されている。手提げ部１９においては、フィルムが袋の内側に折り返され、第一の収納部２０に対応する第一の指穴２３、第二の収納部２１に対応する第二の指穴４及び第三の収納部３０に対応する第三の指穴３１が、それぞれ４枚のフィルムを貫通して設けられている。本態様の手提げ袋を用いることにより、３種の物品を収納し、飲食などを終了して３種の不用物を再度収納したのち、ミシン目で切り離して不用物を分別して廃棄することができる。
図１２は、本発明の手提げ袋の他の態様の側面図である。本態様の手提げ袋は、図１１に示す態様の手提げ袋からミシン目を除いた構造を有している。使用後に、３種の不用物を分別する必要がない場合には、本態様の手提げ袋を好適に用いることができる。
【００１５】
図１３は、本発明の手提げ袋の他の態様の側面図である。本態様の手提げ袋は、手提げ袋の中央に平行な２本の溶着線７が設けられ、該平行な２本の溶着線の間を通過するミシン目３を有し、手提げ部１９に１個の指穴３２が設けられている。本態様の手提げ袋は、体積と重量が大きくは異ならない２種の物品の収納に好適に用いることができる。
図１４は、本発明の手提げ袋の他の態様の側面図である。本態様の手提げ袋は、図１３に示す態様の手提げ袋からミシン目を除いた構造を有している。本態様の手提げ袋は、例えば、チーズバーガーとフィッシュバーガーのように、略同じ体積と重量を有し、食べ終わったのちに不用物として発生する包装材を分別する必要がない場合に好適に用いることができる。
図１５は、本発明の手提げ袋の他の態様の側面図及びＢ−Ｂ線切断部端面図である。本態様の手提げ袋は、手提げ部３３、第一の収納部２０及び第二の収納部２１を有する。袋底部に逆Ｖ字形の折り込み２２を有し、第一の収納部と第二の収納部の境界において袋の下縁から上方に表側フィルムから裏側フィルムまで溶着する平行な２本の溶着線７が設けられ、溶着線の先端が逆Ｖ字形の折り込みの上縁８を超えている。手提げ部においては、フィルムが袋の内側に折り返され、フィルム２枚ずつが斜めの溶着線３４により溶着され、手提げ袋の上縁の中央に指穴３５が開けられている。手提げ袋の両側縁３６、３６'は、上縁から下縁まで溶着されている。本態様の手提げ袋は、第一の収納部と第二の収納部にそれぞれ物品を収納したのち、指穴から指を挿し込んで手提げ部の内側の２枚のフィルム３７を把持して手提げ袋を提げることができる。
【００１６】
図１６は、本発明の手提げ袋の他の態様の側面図である。本態様の手提げ袋は、第一の収納部２０、第二の収納部２１及び第三の収納部３０の３種の収納部を有する。第一の収納部と第二の収納部の境界及び第二の収納部と第三の収納部の境界には、それぞれ袋の下縁から上方に向かい、先端が逆Ｖ字形の折り込みの上縁８を超える２組の平行な２本の溶着線７、７'が設けられ、逆Ｖ字形の折り込みの部分では４枚のフィルムが溶着され、逆Ｖ字形の折り込みの上縁を超える部分では表裏２枚のフィルムが溶着されている。手提げ袋の上縁から下縁まで、２組の平行な２本の溶着線７、７'の間を通過する２本のミシン目３、３'が開けられている。手提げ部３３においては、フィルムが袋の内側に折り返され、フィルム２枚ずつが斜めの溶着線３４により溶着され、手提げ袋の上縁の中央に指穴３５が開けられている。手提げ袋の両側縁３６、３６'は、上縁から下縁まで溶着されている。本態様の手提げ袋は、第一の収納部、第二の収納部及び第三の収納部にそれぞれ物品を収納したのち、指穴から指を挿し込んで手提げ部の内側の２枚のフィルムを把持して手提げ袋を提げることができる。本態様の手提げ袋を用いることにより、３種の物品を収納し、飲食などを終了して３種の不用物を再度収納したのち、ミシン目で切り離して不用物を分別して廃棄することができる。
図１７は、本発明の手提げ袋の他の態様の側面図である。本態様の手提げ袋は、図１６に示す態様の手提げ袋からミシン目を除いた構造を有している。使用後に、３種の不用物を分別する必要がない場合には、本態様の手提げ袋を好適に用いることができる。
【産業上の利用可能性】
【００１７】
本発明の手提げ袋は、底部に逆Ｖ字形の折り込みを有し、袋の下縁から上方に逆Ｖ字形の折り込みの上縁を超える平行な２本の溶着線により２個以上の収納部が形成されるので、食べ物と飲み物などの形状の異なる物品を収納して、安定に持ち運ぶことができる。また、収納された２種以上の不用物を廃棄するときは、平行な２本の溶着線の間で切断することにより、手提げ袋はそれぞれの不用物を収納した２個以上の袋に分割されるので、不用物を容易に分別して廃棄することができる。本発明の手提げ袋の製造方法によれば、長尺のチューブ状のプラスチックフィルムから、本発明の手提げ袋を連続的かつ効率的に製造することができる。
【図面の簡単な説明】
【００１８】
【図１】本発明の手提げ袋の一態様の側面図及び切断部端面図である。
【図２】手提げ袋に物品を収納した状態を示す平面図である。
【図３】ミシン目切り離し操作の説明図である。
【図４】本発明の手提げ袋の使用状態の説明図である。
【図５】本発明の手提げ袋の製造方法の一態様の工程系統図である。
【図６】長尺のチューブ状のプラスチックフィルムの切断部端面図である。
【図７】溶着刃の形状の説明図である。
【図８】ミシン目刃の模式的側面図及びミシン目の説明図である。
【図９】半製品の両側縁上部切断工程の説明図である。
【図１０】本発明の手提げ袋の他の態様の側面図である。
【図１１】本発明の手提げ袋の他の態様の側面図である。
【図１２】本発明の手提げ袋の他の態様の側面図である。
【図１３】本発明の手提げ袋の他の態様の側面図である。
【図１４】本発明の手提げ袋の他の態様の側面図である。
【図１５】本発明の手提げ袋の他の態様の側面図及び切断部端面図である。
【図１６】本発明の手提げ袋の他の態様の側面図である。
【図１７】本発明の手提げ袋の他の態様の側面図である。
【符号の説明】
【００１９】
１  Ｖ字形の折り込み
２  開口部
３  ミシン目
３'  ミシン目
４  第二の指穴
５  側縁
５'  側縁
６  内側のフィルム
７  平行な２本の溶着線
７'  平行な２本の溶着線
８  折り込みの上縁
９  切り刃
１０  溶着線
１１  打ち抜き装置
１２  打ち抜き装置
１３  溶着装置
１４  補助送りロール
１５  ミシン目加工装置
１６  主軸送りロール
１７  溶着溶断装置
１８  半製品移送コンベア
１９  手提げ部
２０  第一の収納部
２１  第二の収納部
２２  逆Ｖ字形の折り込み
２３  第一の指穴
２４  手提げ袋の上縁
２５  手提げ袋の下縁
２６  プラスチックフィルム
２７  半製品
２８  切断刃
２９  略水平の部分
３０  第三の収納部
３１  第三の指穴
３２  指穴
３３  手提げ部
３４  斜めの溶着線
３５  指穴
３６  側縁
３６'  側縁
３７  内側の２枚のフィルム
【図１】
2007302331.tif 000003
【図２】
2007302331.tif 000004
【図３】
2007302331.tif 000005
【図４】
2007302331.tif 000006
【図５】
2007302331.tif 000007
【図６】
2007302331.tif 000008
【図７】
2007302331.tif 000009
【図８】
2007302331.tif 000010
【図９】
2007302331.tif 000011
【図１０】
2007302331.tif 000012
【図１１】
2007302331.tif 000013
【図１２】
2007302331.tif 000014
【図１３】
2007302331.tif 000015
【図１４】
2007302331.tif 000016
【図１５】
2007302331.tif 000017
【図１６】
2007302331.tif 000018
【図１７】
2007302331.tif 000019